(57)【要約】【課題】一対の接点バネによってバルブのベース部を挟持している状態のときに、確実にベース部の位置を規制して、バルブの端子と給電端子との確実な接続を維持する。【解決手段】給電端子３１には、バルブ５０のベース部５２が一対の接点バネ３２間に挿入された際に、ベース部５２の底面側に露出した端子に当接する規制片３３が設けられている。【選択図】図１
2010205485.tif 000002
【特許請求の範囲】
【請求項１】
樹脂製のハウジングにバルブを装着するためのソケット穴が設けられ、該ソケット穴の内部に、前記バルブの電球部の下側に配されたベース部が前記ソケット穴の内部に挿入された際に前記ベース部の端子に接触導通する給電端子が設けられ、該給電端子が、前記ベース部の側面を挟持することで前記バルブを保持し、且つ前記ベース部の側面に露出した端子に接触導通するための一対の接点バネを有している照明装置のバルブソケット構造であって、
前記給電端子には、前記バルブのベース部が前記一対の接点バネ間に挿入された際に、前記ベース部の底面側に露出した端子に当接する規制片が設けられていることを特徴とする照明装置のバルブソケット構造。
【請求項２】
前記規制片が、前記ベース部の底面側に露出した端子に接触導通可能なバネ片として形成されていることを特徴とする請求項１に記載の照明装置のバルブソケット構造。
【発明の詳細な説明】
【技術分野】
【０００１】
本発明は、車室内天井部などに搭載される照明装置のバルブソケット構造に関するものである。
【背景技術】
【０００２】
自動車の天井部には室内照明装置が装備されており、その一例として、特許文献１に記載のものが知られている。この室内照明装置は、図３に示すように、樹脂製のハウジング１０と、点灯・消灯を行う例えばオルタネイト型（１回押すごとにＯＮ／ＯＦＦが交互に切り替わる型）のプッシュスイッチ１４と、回路を構成する図示略のバスバーと、樹脂製の保護カバー１５と、光源であるバルブ（電球など）５０とを具備している。
【０００３】
ハウジング１０の一端側には、上方から斜めにバルブ５０を装着するためのソケット穴１１が設けられ、他端側にはスイッチ１４を装着するためのスイッチ装着部１３が設けられている。また、ソケット穴１１とスイッチ装着部１３との間にはバスバー装着部１２が設けられ、そのバスバー装着部１２にバスバーの電線圧接部が装着されている。保護カバー１５は、バスバーの電線圧接部を保護するためのものであり、電線の圧接後にバスバー装着部１２を覆うようにハウジング１０に装着固定される。バスバーは、一端にバルブと接続するための給電端子、他端にスイッチに接続するための接続端子、中間部に電線圧接部を有するものである。
【０００４】
バルブ５０は、ソケット穴１１に下端のベース部（図示略）を差し込むことで装着固定され、その状態で、ソケット穴１１の内部に装着された給電端子（図示略）とバルブ５０のベース部に露出した端子（図示略）が接触導通して、バルブ５０への通電が可能となり、バルブ５０を点灯できるようになっている。
【０００５】
この照明装置を組み立てる場合は、最初に、ハウジング１０にバスバーを装着し、次にスイッチ１４を組み付け、次にバスバーの電線圧接部に電線を圧接した後、保護カバー１４を装着して圧接部を保護する。そして最後に、ハウジング１０のソケット穴１１にバルブ５０のベース部を差し込むと、ソケット穴１１の内部に装備された給電端子の接点バネ間にベース部が挟持され、それにより、バルブ５０が保持固定されると共に、給電端子とバルブが電気接続される。このソケット穴１１に対するバルブ５０の挿入の際に、ソケット穴１１の周囲に設けられたガイド１７がバルブ５０の挿入を案内する。
【先行技術文献】
【特許文献】
【０００６】
【特許文献１】特開２００７−２４５７９５号公報（図２）
【発明の概要】
【発明が解決しようとする課題】
【０００７】
ところで、上述した従来の照明装置では、ソケット穴１１の周囲にバルブ５０の挿入を案内するためのガイド１７が設けられているが、そのガイド１７はバルブ５０の挿入を案内するだけのものであるため、接点バネによってバルブのベース部を挟持している状態のときにバルブにガタ付きが発生して、照明にちらつきが起こることがあった。
【０００８】
本発明は、上述した事情に鑑みてなされたものであり、その目的は、接点バネによってバルブのベース部を挟持している状態のときに、確実にベース部の位置を規制することができ、それによりバルブの端子と給電端子との確実な接続を維持することができて、照明のちらつきを防止することのできる照明装置のバルブソケット構造を提供することにある。
【課題を解決するための手段】
【０００９】
前述した目的を達成するために、本発明に係る照明装置のバルブソケット構造は、下記（１）、（２）を特徴としている。
（１）  樹脂製のハウジングにバルブを装着するためのソケット穴が設けられ、該ソケット穴の内部に、前記バルブの電球部の下側に配されたベース部が前記ソケット穴の内部に挿入された際に前記ベース部の端子に接触導通する給電端子が設けられ、該給電端子が、前記ベース部の側面を挟持することで前記バルブを保持し、且つ前記ベース部の側面に露出した端子に接触導通するための一対の接点バネを有している照明装置のバルブソケット構造であって、
前記給電端子には、前記バルブのベース部が前記一対の接点バネ間に挿入された際に、前記ベース部の底面側に露出した端子に当接する規制片が設けられていること。
（２）  上記（１）の構成の照明装置のバルブソケット構造において、
前記規制片が、前記ベース部の底面側に露出した端子に接触導通可能なバネ片として形成されていること。
【００１０】
上記（１）の構成のバルブソケット構造によれば、ハウジングのソケット穴の内部に装備された給電端子に、バルブのベース部の底面の挿入位置を規制する規制片が設けられているので、その規制片によってバルブのベース部の接点バネ間への挿入位置を適正に保つことができて、ベース部の押し込み過ぎを防止することができる。従って、接点バネによるベース部の挟持を確実なものとすることができて、ベース部のガタ付きを無くすことができる。また、規制片にベース部の底面が当たることで、規制片とベース部の底面の端子が接触導通するので、ベース部の側面の端子がたとえ変形しているような場合であっても、バルブと給電端子の導通状態を適正に維持することができる。従って、これらのことにより、照明のちらつきを有効に防止することができる。
上記（２）の構成のバルブソケット構造によれば、前記規制片が、ベース部の底面側に露出した端子に接触導通可能なバネ片として形成されているので、バネ反力により、バルブを押し込み過ぎた場合でも、バルブに負荷をかけることなく、押し込み過ぎを防止できる。
【発明の効果】
【００１１】
本発明によれば、ソケット穴の内部に装備された給電端子に、バルブのベース部の底面の挿入位置を規制する規制片が設けられているので、接点バネによってバルブのベース部を挟持している状態のときのベース部の位置を適正に保つことができ、それによりバルブの端子と給電端子との確実な接続を維持することができて、照明のちらつきを防止することができる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】本発明の実施形態のバルブソケット構造が適用された照明装置の構成図で、（ａ）はバルブを装着する前の状態を示す斜視図、（ｂ）はバルブを装着した状態を示す断面図である。
【図２】バルブの下から見た斜視図である。
【図３】従来の照明装置の斜視図である。
【発明を実施するための形態】
【００１４】
以下、本発明に係る好適な実施形態を図面に基づいて詳細に説明する。
【００１５】
図１は実施形態のバルブソケット構造が適用された照明装置の構成図で、（ａ）はバルブを装着する前の状態を示す斜視図、（ｂ）はバルブを装着した状態を示す断面図、図２はこの照明装置で使用するバルブの下から見た斜視図である。
【００１６】
図１に示すように、本実施形態のバルブソケット構造が適用された照明装置（一般的に車室内天井照明装置の機能部と呼ばれるユニット部分に相当する）１は、樹脂製のハウジング１０と、ハウジング１０のソケット穴１１に装着される白熱バルブ（以下、単に「バルブ」という）５０と、ハウジング１０に装着される２系統のバスバー３０と、ハウジング１０のスイッチ装着部１３に装着されたスイッチ１４と、ハウジング１０の電線圧接部を覆う保護カバー（図示略）とを備えている。
【００１７】
ハウジング１０のソケット穴１１は、ハウジング１０の長手方向の一端側に設けられており、そのソケット穴１１に本実施形態のバルブソケット構造が適用されている。このソケット穴１１は、ハウジング１０の基準面（図１においては下面）に対して傾斜しており、その基準面に対して、バルブ５０が軸線を傾けた姿勢で装着されるようになっている。なお、ソケット穴１１の周囲には、バルブ５０の挿入を案内するガイド１７が設けられている。バルブ５０は、図２に示すように、円筒形状の電球部５１の下側に偏平なベース部５２を有するもので、ベース部１０２の底面から側面にかけて電球部５１の内部からリードが引き出されており、その露出した部分が端子５３となっている。
【００１８】
各バスバー３０は、一端側にバルブ５０に対する給電端子３１を有し、他端側に電線を接続するための圧接端子３５やスイッチ１４に接続するための接続端子３８を有している。各バスバー３０の給電端子３１は、ハウジング１０のソケット穴１１の内部に収容されることで、バルブ５０のベース部５２が挿入された際にベース部５２側の端子５３と接触導通する部分であり、圧接端子３５は、ハウジング１０の電線接続部１２にセットされる部分である。
【００１９】
各バスバー３０の給電端子３１は、バルブ５０のベース部５２の側面を挟持する一対の接点バネ３２をそれぞれ有しており、一方の接点バネ３２の下端に、バルブ５０のベース部５２が一対の接点バネ３２間に挿入された際にベース部５２の底面の挿入位置を規制する規制片３３が一体に連設されている。この規制片３３は、バルブ５０のベース部５２の底面側に露出した端子５３に接触導通可能なバネ片として形成されており、ベース部５２の底面側に凸に湾曲している。
【００２０】
この照明装置を組み立てる場合は、ハウジング１０に２系統のバスバー３０を組み付け、給電端子３１をソケット穴１１に挿入すると共に、圧接端子３５を電線接続部１２に組み付ける。次いで、バスバー３０の圧接端子３５に電線を接続し、保護カバーを被せると共に、スイッチ１４をスイッチ装着部１３に側方から装着する。
【００２１】
次いで、バルブ５０のベース部５２をソケット穴１１に挿入する。すると、バルブ５０の電球部５１がソケット穴１１の周囲のガイド１７に案内さつつ支持されると共に、ベース部５２が各給電端子３１の一対の接点バネ３２の湾曲接点部の凸面にて挟持され、ベース部５２の端子と給電端子３１が接触導通する。
【００２２】
この際、ソケット穴１１の内部に装備された給電端子３１に、バルブ５０のベース部５２の底面の挿入位置を規制する規制片３３が設けられているので、バルブ５０のベース部５２の接点バネ３２間への挿入位置を適正に保つことができて、ベース部５２の押し込み過ぎを防止することができる。従って、接点バネ３２によるベース部５２の挟持を確実なものとすることができて、ベース部５２のガタ付きを無くすことができる。
【００２３】
また、規制片３３にベース部５２の底面が当たることで、規制片３３とベース部５２の底面に露出する端子５３が接触導通するので、ベース部５２の側面の端子５３がたとえ変形しているような場合であっても、バルブ５０と給電端子３１の導通状態を適正に維持することができる。従って、これらのことにより、照明のちらつきを有効に防止することができる。
【００２４】
また、この場合の規制片３３は、ベース部５２の底面側に露出した端子５３に接触導通可能なバネ片として形成されているので、そのバネ反力により、バルブ５０を押し込み過ぎた場合でも、バルブ５０に負荷をかけることなく、押し込み過ぎを防止できる。
【００２５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２６】
１  照明装置
１０  ハウジング
１１  ソケット穴
３１  給電端子
３２  接点バネ
３３  規制片
５０  バルブ
５１  電球部
５２  ベース部
５３  端子
【図１】
2010205485.tif 000003
【図２】
2010205485.tif 000004
【図３】
2010205485.tif 000005